(57)【要約】【課題】頑丈かつ簡易な構造とすることができる軒樋支持具を提供する。【解決手段】軒樋支持具１の支持具本体２は、板面を横方向に向けた起立板１２を横方向に複数並べてなる板状部１０と、起立板１２どうしを連結した連結部３１と、軒樋５の耳５ａ、５ｂを固定する耳固定部４０、５０と、板状部１０の後端部より延出した、建物の外面３に固定される取付部２０とを備えている。【選択図】図１
2019148064.tif 000002
【特許請求の範囲】
【請求項１】
建物の外面より前方に突出するように配される支持具本体を備えた軒樋支持具において、
前記支持具本体は、板面を横方向に向けた起立板を横方向に複数並べてなる板状部と、前記起立板どうしを連結した連結部と、軒樋の耳を固定する耳固定部と、前記板状部の後端部より延出した、前記建物の外面に固定される取付部とを備えたことを特徴とする軒樋支持具。
【請求項２】
請求項１において、
前記支持具本体は１枚の板材を加工形成してなる本体部材を含んで構成されていることを特徴とする軒樋支持具。
【請求項３】
請求項２において、
前記支持具本体は前記耳固定部を構成するための別部材を前記本体部材に付加してなることを特徴とする軒樋支持具。
【請求項４】
請求項１〜３のいずれか１項において、
前記板状部は後部から前部にかけて上下寸法が小さくなる形状とされることを特徴とする軒樋支持具。
【請求項５】
請求項１〜４のいずれか１項において、
前記耳固定部は前耳吊り支持部と後耳吊り支持部とよりなることを特徴とする軒樋支持具。
【発明の詳細な説明】
【技術分野】
【０００１】
本発明は、建物の外面より前方に突出するように配される支持具本体を備えた軒樋を支持する軒樋支持具に関する。
【背景技術】
【０００２】
従来の軒樋支持具は、その支持具本体が板面を上下方向に向けた板材で形成されていることが一般的である。たとえば特許文献１のものは、軒樋を吊り支持する本体部と、その本体部を吊り支持する足部とを備えて構成され、そのいずれもが上記のような板材で形成されている。
【０００３】
しかし、上記足部には風雨による上下の揺動や雪の荷重により大きな負荷がかかるため、突出基部（建物の壁面に近い根元部分）等で折れるおそれがあり、通例では、本体部よりも厚い板材で形成した足部が使用されている。
【０００４】
また、特許文献２のものは、板面を横方向に向けた起立板を有した構成であるため、突出基部の強度は比較的高いものと想定できる。
【先行技術文献】
【特許文献】
【０００５】
【特許文献１】特開２０１８−３３７０号公報
【特許文献２】特開２００６−１５２６３９号公報
【発明の概要】
【発明が解決しようとする課題】
【０００６】
しかしながら、足部をある程度厚く形成したとしても、板面を上下方向に向けて設置するかぎり、足部の上下揺動等による損傷等を確実に防止することはできない。また、足部を厚くすることは、その体積が大きくなり製造コストの増大につながるため、得策とは言えない。
【０００７】
また、特許文献２のように起立板を有した構造であれば、上下の揺れに対する強度の向上はある程度期待できるが、そもそも同文献技術は、簡易に製造でき、かつ部品点数を削減することを目的としたものであるため、支持具本体の全体としての強度向上を期待できるとはかぎらない。特に横方向の負荷（たとえば軒樋設置後に軒樋を、位置調整などを目的として軒樋を横にずらすことなどによるもの）により起立板の前端部が横方向に揺れて、根元部分等が破損してしまうおそれがある。
【０００８】
本発明は、このような事情を考慮して提案されたもので、その目的は、頑丈かつ簡易な構造とすることができる軒樋支持具を提供することにある。
【課題を解決するための手段】
【０００９】
上記目的を達成するために、請求項１に記載の軒樋支持具は、建物の外面より前方に突出するように配される支持具本体を備えた軒樋支持具において、前記支持具本体は、板面を横方向に向けた起立板を横方向に複数並べてなる板状部と、前記起立板どうしを連結した連結部と、軒樋の耳を固定する耳固定部と、前記板状部の後端部より延出した、前記建物の外面に固定される取付部とを備えたことを特徴とする。
【００１０】
請求項２に記載の軒樋支持具は、前記支持具本体は１枚の板材を加工形成してなる本体部材を含んで構成されていることを特徴とする。
【００１１】
請求項３に記載の軒樋支持具は、前記支持具本体は前記耳固定部を構成するための別部材を付加してなることを特徴とする。
【００１２】
請求項４に記載の軒樋支持具は、前記板状部は後部から前部にかけて上下寸法が小さくなる形状とされることを特徴とする。
【００１３】
請求項５に記載の軒樋支持具は、前記耳固定部は前耳吊り支持部と後耳吊り支持部とよりなることを特徴とする。
【発明の効果】
【００１４】
請求項１に記載の軒樋支持具は上述した構成とされているため、頑丈かつ簡易な構造とすることができる。
【００１５】
請求項２に記載の軒樋支持具は上述した構成とされているため、特に支持具本体の製造を簡易化できる。
【００１６】
請求項３に記載の軒樋支持具は上述した構成とされているため、軒樋の形状に合わせた形状とすることができ、また軒樋の装着をしやすくすることもできる。
【００１７】
請求項４に記載の軒樋支持具は上述した構成とされているため、支持具本体の後部（基部）を頑丈にできるとともに、前部に向けて尖った形状とすることで材料を節約することができる。
【００１８】
請求項５に記載の軒樋支持具は上述した構成とされているため、軒樋支持具を簡易な構造でかつ頑丈な軒樋吊り具として使用することができる。
【図面の簡単な説明】
【００１９】
【図１】本発明の一実施形態に係る軒樋支持具の分解斜視図である。
【図２】同軒樋支持具の取り付け状態を示す側面図である。
【図３】（ａ）は同軒樋支持具の支持具本体に用いられる本体部材の展開図、（ｂ）は別部材（後耳載置用部材）の展開図である。
【図４】本発明の他の実施形態に係る軒樋支持具の説明図である。（ａ）は同軒樋支持具の斜視図、（ｂ）は同軒樋支持具の取り付け状態を示す側面図である。
【図５】本発明のさらに他の実施形態に係る軒樋支持具の斜視図である。
【図６】（ａ）は同軒樋支持具の取り付け状態を示す側面図、（ｂ）は別部材の拡大側面図である。
【図７】同軒樋支持具の支持具本体に用いられる本体部材の展開図である。
【図８】本発明のさらに他の実施形態に係る軒樋支持具の斜視図である。
【図９】（ａ）（ｂ）は、本発明のさらに他の２実施形態に係る軒樋支持具の平面図である。
【発明を実施するための形態】
【００２０】
以下に、本発明の実施の形態について、添付図面をもとに説明する。なお、特許請求の範囲および本明細書においては、軒樋支持具１が軒先の外面３に取り付けられた状態を基準として、前後、上下等の方向を規定した。
【００２１】
以下の種々の実施形態に係る軒樋支持具１は、建物の外面３より前方に突出するように配される支持具本体２を備えた軒樋支持具である。支持具本体２は、板面を横方向に向けた起立板１２を横方向に複数並べてなる板状部１０と、起立板１２どうしを連結した連結部３１、３２、３３、３４と、軒樋５の耳５ａ、５ｂを固定する耳固定部４０、５０（具体的には、前耳固定部４０、後耳固定部５０）と、板状部１０の後端部より延出した、建物の外面３に固定される取付部２０とを備えている。
【００２２】
これらの軒樋支持具１は、図２等に示すように、建物の外面３（鼻隠、垂木等）に取り付けられ、それらを複数用いて軒樋５を支持する構成とされる。以下に説明する各実施形態の軒樋支持具１は、いずれも軒樋５を吊り支持する構成であり、前耳固定部４０は軒樋５の前耳５ａを吊り支持する前耳吊り支持部として、また後耳固定部５０は軒樋５の後耳５ｂを吊り支持する後耳吊り支持具５０として作用する。
【００２３】
以下、図１〜図３に示した軒樋支持具１、図４に示した軒樋支持具１、図５〜図７に示した軒樋支持具１および図８、図９に示した３種の軒樋支持具１について、実施形態ごとに順次説明する。
【００２４】
図１〜図３に示した軒樋支持具１の支持具本体２は、本体部材２Ａと２つの別部材（後耳載置用部材５１およびばね部材６０）とよりなる。
【００２５】
本体部材２Ａは、２枚の起立板１２を板状部１０として有し、それらは下部の連結部３１で連結されている。板状部１０（起立板１２）は側面視で略三角形とされる。起立板１２のそれぞれの後部に板状の取付部２０が相互に離れるように折曲形成されている。この取付部２０は図例のように、起立板１２の上端側（板状部１０の溝開口側）に形成されていることが起立板１２の溝開口側の揺れを防止するうえで望ましい。
【００２６】
この取付部２０には建物の外面３に釘２２またはビスで固定するための挿通孔２１が開設されている。また、本体部材２Ａの前端には軒樋５の前耳５ａを引っ掛けるように固定する、起立板１２の前端より突出した係止突起よりなる前耳固定部４０が形成されている。
【００２７】
連結部３１は２枚の起立板１２で構成される溝体の底板部を構成している。この底板部３１の一部は、一方の起立板１２と他方の起立板１２とともに切り欠かれて、開口１３が形成されている。この開口１３より後述する後耳載置片部５５を下方に突出させるように、後耳載置用部材５１が溝内に装着、固定されている。
【００２８】
後耳載置用部材５１は、本体部材２Ａの溝内に装着される部材であり、本体部材２Ａの溝内に装着される装着部５２と、本体部材２Ａの開口１３より下方に突出した後耳載置片部５５とを備えている。装着部５２は溝開口を下方に向けてなる凹溝体とされ、両溝壁片５３の一部が切り欠かれているとともに、溝壁片５３より下方に延びるようにＬ字状の後耳載置片部５５が形成されている。後耳載置片部５５の横片５５ａは先端を前方に向けるように、本体部材２Ａの底板部３１よりも下側に配されている（以上、図２参照）。
【００２９】
本体部材の底板部３１（連結部）の下方外面にはさらに、開口１３の前部分を下方より塞ぐように板状のばね部材６０がリベット６３で固着されている。このばね部材６０により、後耳収容空間５６が、収容された軒樋５の後耳５ｂが抜け落ちない程度に塞がれる。
【００３０】
後耳載置用部材５１は本体部材２Ａに対し、切り欠き開口５４と本体部材２Ａの開口１３とが重なるように装着されており、両開口によりできた開口窓５７の前部側の縁部と、後耳載置片部５５と、ばね部材６０とにより、それらにより囲まれてなる、横方向に開口した後耳収容空間５６が形成されている。この後耳収容空間５６、開口窓５７、後耳載置片部５５（後耳載置用部材５１）およびばね部材６０を含んで後耳固定部５０が構成されている。
【００３１】
図２に示すように、本軒樋支持具１は、後耳固定部５０に軒樋５の後耳５ｂが固定され、前耳固定部４０に軒樋５の前耳５ａが固定されて軒樋５が吊り支持される構成とされる。また、後耳５ｂの載置部（後耳載置片部５５の横片５５ａの上面）が底板部３１よりも下側に配されているため、図例のように後耳５ｂが前耳５ａよりも低い位置に形成された軒樋５を、軒樋５の底部５ｃを前後に傾斜させることなく略水平状態に設置することができる。また、後耳載置片部５５の突出程度を種々異ならせた後耳載置用部材５１を本体部材２Ａに組み合わせることで、前耳５ａと後耳５ｂの相対高さ位置関係の異なる種々の軒樋５に対応させて位置調整を図ることができる。
【００３２】
軒樋５は、たとえば、前耳５ａを前耳固定部４０に引っ掛けてから、後耳５ｂでばね部材６０を上方に押圧し、図２の白抜き矢印方向に弾性変形させて後耳５ｂを後耳収容空間５６に入れ、後耳載置片部５５の横片５５ａ上に載せ置くようにして取り付けられる。軒樋５を取り付けた後は、後耳５ｂに対しばね部材６０の後端が接触または近接した状態にあるため、後耳５ｂが後耳収容空間５６より抜け出るおそれはほとんどない。
【００３３】
本体部材２Ａおよび後耳載置用部材５１はいずれも、図３（ａ）（ｂ）の展開図に示すように、それぞれ線対称形状の１枚の板材を加工形成してなる。図３（ａ）（ｂ）における破線は折曲部であり、これらを折り曲げることで各部材を成形することができる。両部材の連結は、たとえば、展開状態の本体部材２Ａの底板部３１側の入隅部の図中Ａで囲んだ部分に、折り曲げ成形した後耳載置用部材５１の溝壁片５３の下端５３ａを溶着してから、本体部材２Ａを折り曲げ成形するようにしてもよいし、両部材の重なる部分を軸固定具で固定するようにしてもよい。
【００３４】
以上に示した軒樋支持具１によれば、支持具本体２は２枚の板材を起立状態に配してなるため、軒樋支持具１を上下方向の負荷に対し頑丈な形状とすることができる。特に、本実施形態のものは、板状部１０が後部から前部にかけて上下寸法が小さくなる形状とされているため、もっとも負荷がかかるとされる後部（建物の外面３の前側の突出基部１１）を強固にでき、かつ省材料で支持具本体２を形成することができる。さらに、２枚の起立板１２を連結部３１で連結させた構造であるため、横方向の負荷に対しても強い。
【００３５】
また、簡易な部材により簡単に支持具本体２を構成できるため、材料コスト、製造コストを節約することができる。特に、本体部材２Ａが１枚の板材の折曲加工により形成されているため、簡易に支持具本体２を成形でき、また板状部１０と連結部３１とが一体に成形されているため、頑丈な構造とすることができる。
【００３６】
本実施形態の軒樋支持具１は、上述したように別部材として後耳載置用部材５１を有しているが、これを有しない構造であってもよい。つまり、別部材としての後耳載置用部材５１を用いることなく後耳固定部５０を構成した軒樋支持具１であってもよい。
【００３７】
ついで、後耳載置用部材５１を有しない軒樋支持具１について、図４を参照して説明する。この軒樋支持具１の支持具本体２は、本体部材２Ａと１つの別部材（ばね部材６０）とを備えてなる。
【００３８】
本体部材２Ａは、図１のものとおおむね同形状とされる。つまり、本体部材２Ａは２枚の起立板１２を板状部１０として有し、それらは下部の連結部３１で連結されている。板状部１０（起立板１２）は側面視で略三角形とされる。起立板１２のそれぞれの後部に取付部２０が相互に離れるように折曲形成されている。この取付部２０は、図１のものと同様、起立板１２の上端側（板状部１０の溝開口側）に形成されていることが起立板１２の溝開口側の揺れを防止するうえで望ましい。
【００３９】
取付部２０には建物の外面３に釘２２またはビスで固定するための挿通孔２１が開設されている。また、本体部材２Ａの前端には軒樋５の前耳５ａを引っ掛けるように固定する、起立板１２の前端より上方に突出した係止突起よりなる前耳固定部４０が形成されている。
【００４０】
連結部３１は２枚の起立板１２で構成される溝体の底板部を構成している。この底板部３１の一部は、一方の起立板１２と他方の起立板１２とともに切り欠かれて、開口１３が形成されている。この開口１３は前後方向の寸法が図１のものよりもやや小さく、後部側の底板部３１（連結部）が開口１３側に延びて後耳載置片部３１ａを構成している。
【００４１】
また図１のものと同様に、本体部材２Ａの底板部３１（連結部）の下方外面に、開口１３の前部分を下方より塞ぐように板状のばね部材６０がリベット６３で固着されている。このばね部材６０は、後耳収容空間５６の下部を後耳５ｂが抜け落ちない程度に塞ぐものである。
【００４２】
このように、この軒樋支持具１は、開口１３の縁部と、後耳載置片部３１ａと、ばね部材６０とにより、それらにより囲まれてなる、横方向に貫通した後耳収容空間５６が形成されている。この後耳収容空間５６、開口１３、後耳載置片部３１ａおよびばね部材６０を含んで後耳固定部５０が構成されている。
【００４３】
この軒樋支持具１に対する軒樋５の取り付け方法は、図１のものとおおむね同様である。なお、図４で示した軒樋支持具１は、図１に示した軒樋５と同一形状のものが取り付けられるようになっており、そのため前耳固定部４０（係止突起）は、図１のものと形状がやや異なる。
【００４４】
また、本体部材２Ａの展開図は省略するが、本体部材２Ａは１枚の板材を折曲形成されてなる。
【００４５】
本軒樋支持具１の支持具本体２は、上記のようにおおむね図１のものと同形状であるため、頑丈かつ簡易な構造とすることができる。また、別部材である後耳載置用部材５１（図１参照）を用いない構成であるため、材料コストを抑えることができる。なお、後耳載置用部材５１で前後の耳高さの相互位置関係を調整することはできないが、前耳固定部４０を種々の位置に形成することにより調整が可能である。さらに、本体部材２Ａが１枚の板材の加工により形成されているため、前耳固定部４０の設計変更は比較的簡易に行える。
【００４６】
つぎに、図５〜図７に示した軒樋支持具１について説明する。この軒樋支持具１の支持具本体２は、本体部材２Ａと１つの別部材（ばね部材６０）とを備えてなる。
【００４７】
本体部材２Ａは、図５に示すように、凹溝体を溝開口を下に向けるように配せられる。つまり連結部３２は天板部とされる。ようするに、本体部材２Ａは２枚の起立板１２を板状部１０として有し、それらは上部の連結部３２で連結されている。板状部１０（起立板１２）は側面視で略三角形とされる。起立板１２のそれぞれの後部に取付部２０が相互に離れるように折曲形成されている。この取付部２０は、起立板１２の下端側（板状部１０の溝開口側）に形成されていることが起立板１２の溝開口側の揺れを防止するうえで望ましい。
【００４８】
この取付部２０には建物の外面３に釘２２またはビスで固定するための挿通孔２１が開設されている。また、本体部材２Ａの前端には軒樋５の前耳５ａを引っ掛けるように固定する、天板部３２の前端より延びた係止フックよりなる前耳固定部４０が形成されている。
【００４９】
連結部３２は２枚の起立板１２で構成される溝体の溝底（天板部）を構成している。両起立板１２の下側の一部は切り欠かれて開口１３が形成されている。後部側の開口縁には、開口側に突出した後耳載置片部１４が形成されている。
【００５０】
また、起立板１２の開口１３の前部側にはばね部材６０がリベット６３で固着されている。このばね部材６０は、図６（ｂ）の拡大図に示すように、前部６１の板面が起立板１２に固着され得るように横方向を向く一方、後部６２の板面が上下方向を向くようにひねり形成されている。このばね部材６０は、後耳収容空間５６の下部を後耳５ｂが抜け落ちない程度に塞ぐものである。なお図６（ｂ）における符号６１ａは、リベット６３の挿通用孔である。
【００５１】
このように、この軒樋支持具１は、開口１３の縁部と、後耳載置片部１４と、ばね部材６０とにより、それらにより囲まれてなる、横方向に貫通した後耳収容空間５６が形成されている。この後耳収容空間５６、開口１３、後耳載置片部１４およびばね部材６０を含んで後耳固定部５０が構成されている。
【００５２】
この軒樋支持具１に対する軒樋５の取り付け方法は、図１のものとおおむね同様である。なお、図５で示した軒樋支持具１は、図１に示した軒樋５と同一形状のものが取り付けられるようになっており、そのため前耳固定部４０（係止フック）は、天板部３２の高さ位置よりも低い位置に垂れ下がるように形成してあるが、軒樋５の形状、特に前耳５ａと後耳５ｂの相対高さ位置に対応させて係止フックの位置で調整すればよい。
【００５３】
本体部材２Ａは、図７に示すように、１枚の板材を折曲加工して形成されている。図７における破線は折曲部であり、これらを折り曲げることで本体部材２Ａを成形することができる。
【００５４】
本軒樋支持具１は、上記のよう構成、形状とされているため、頑丈かつ簡易な構造とすることができる。また、別部材である後耳載置用部材５１（図１参照）を用いない構成であるため、材料コストを抑えることができる。なお、後耳載置用部材５１で前後の耳位置を調整することはできないが、前耳固定部４０の形状により調整が可能である。本体部材２Ａが１枚の板材の加工により形成されているため、前耳固定部４０の設計変更は比較的簡易に行える。
【００５５】
ついで、さらなる構造、形状の３種の軒樋支持具１について、図８および図９（ａ）（ｂ）をもとに説明する。
【００５６】
図８の軒樋支持具１は、支持具本体２（本体部材２Ａ）の連結部３３が起立板１２の前端をつなぐように前板部として配されている。また、前耳固定部４０は、前板部３３の上端より前方に延びてなる。後耳固定部５０は板状部１０の開口１３に設けられ、後耳載置片部１４、後耳収容空間５６を有した構成とされている。また、取付部２０は起立板１２の後端より折曲延設されている。
【００５７】
なお、図８にはばね部材６０の図示を省略したが、ばね部材６０（別部材）を備えてもよいし、備えなくてもよく、備えない場合、支持具本体２は１枚の板材（本体部材２Ａ）を加工するだけで形成することができる。なお、図１、図４、図５の軒樋支持具１についても、ばね部材６０はなくてもよい。
【００５８】
また、図９（ａ）の平面図に示した軒樋支持具１は、２つのＬ字部材２Ｂを組み合わせて構成されている。Ｌ字部材２Ｂは起立板１２と取付部２０とを有してなる。なお、起立板１２の側面形状については特に限定されない。
【００５９】
この軒樋支持具１は、起立板１２どうしを対向させて板状部１０を形成できるように構成されている。それぞれの起立板１２の後部より取付部２０が延出され、それらの取付部２０が建物の外面３に対し起立板１２の外側に固定されている。
【００６０】
また、支持具本体２の前部で起立版１２どうしがボルト３４ａ、ナット３４ｂおよびボルト挿通体３４ｃで連結されている。つまり、ボルト３４ａ、ナット３４ｂおよびボルト挿通体３４ｃで連結部３４を構成している。ボルト挿通体３４ｃは、起立板１２の前端部において所定間隔を離間させるためのスペーサとして作用する。なお、前耳固定部４０および後耳固定部５０については図示を省略する。
【００６１】
図９（ｂ）の平面図に示した軒樋支持具１は、３枚の起立板１２を略等間隔に並べてなる板状部１０と、起立板１２の後端を固定した取付部２０と、連結部３４とを備えている。連結部３４はボルト３４ａ、ナット３４ｂおよび２つのボルト挿通体３４ｃよりなる。なお、３枚の起立板１２は取付部２０用の共通板でつながっているため、この共通板も連結部となり得る。
【００６２】
このように、起立板１２が３枚以上のものであってもよい。なお、起立板１２の側面形状については特に限定されない。図９（ａ）（ｂ）の例では、前耳固定部４０および後耳固定部５０について図示を省略した。
【００６３】
以上に示した図８および図９（ａ）（ｂ）の３例についても、図１等に示した軒樋支持具１とおおむね同様の効果が奏され得ることは言うまでもない。
【００６４】
上記の説明では軒樋支持具１として軒樋吊り具を例示説明したが、これには限られず、上記した板状部１０、連結部３１、３２、３３、３４、耳固定部４０、５０および取付部２０を有した支持具本体２の構成は軒樋受具にも適用され得る。
【符号の説明】
【００６５】
１            軒樋支持具
２            支持具本体
２Ａ          本体部材
２Ｂ          Ｌ字部材
１０          板状部
１１          突出基部
１２          起立板
１３          開口
１４          後耳載置片部
１６          入隅部
２０          取付部
２１          挿通孔
２２          釘
３１          連結部（底板部）
３１ａ        後耳載置片部
３２          連結部（天板部）
３３          連結部（前板部）
３４          連結部
３４ａ        ボルト
３４ｂ        ナット
３４ｃ        ボルト挿通体
４０          前耳固定部（前耳吊り支持具）
５０          後耳固定部（後耳吊り支持具）
５１          後耳載置用部材（別部材）
５２          装着部
５３          溝壁片
５３ａ        下端
５４          切り欠き開口
５５          後耳載置片部
５５ａ        横片
５６          後耳収容空間
５７          開口窓
６０          ばね部材（別部材）
６１          前部
６１ａ        挿通用孔
６２          後部
６３          リベット
５            軒樋
５ａ          前耳
５ｂ          後耳
５ｃ          底部
３            建物の外面
【図１】
2019148064.tif 000003
【図２】
2019148064.tif 000004
【図３】
2019148064.tif 000005
【図４】
2019148064.tif 000006
【図５】
2019148064.tif 000007
【図６】
2019148064.tif 000008
【図７】
2019148064.tif 000009
【図８】
2019148064.tif 000010
【図９】
2019148064.tif 000011